(57)【特許請求の範囲】
【請求項１】
左、右いずれかの手で一端側を握ることを可能とした握持棒（５）と、該握持棒（５）の他端側に回転自在に支承されるローラ（６）とを備え、身体の一部に接触させた前記ローラ（６）を振動させつつ転動させ得るようにしたマッサージ器において、前記握持棒（５）の他端部には、前記ローラ（６）を振動させる振動発生手段（１３）を内蔵する円筒状のローラ支持筒（１０）が設けられ、該ローラ支持筒（１０）を同軸に囲繞する薄肉円筒部（１８ａ）を有する前記ローラ（６）の軸方向両端部が、前記ローラ支持筒（１０）に回転自在に支承され、前記薄肉円筒部（１８ａ）およびローラ支持筒（１０）間に環状空隙（２３）が形成されることを特徴とするマッサージ器。
【発明の詳細な説明】
【０００１】
【発明の属する技術分野】
本発明は、左、右いずれかの手で一端側を握ることを可能とした握持棒と、該握持棒の他端側に回転自在に支承されるローラとを備え、身体の一部に接触させた前記ローラを振動させつつ転動させ得るようにしたマッサージ器の改良に関する。
【０００２】
【従来の技術】
従来、かかるマッサージ器は、たとえば実開平２−１５１３１号公報等で既に知られている。
【０００３】
【発明が解決しようとする課題】
上記従来のマッサージ器では、厚肉円筒状に形成されたローラが、握持棒に設けられた軸部で回転自在に支承されており、ローラの熱容量が大きいだけでなく、ローラの内周が前記軸部の外周に接触しているのでローラおよび軸部間の熱伝達が良好である。このため冷たいローラを身体の一部に接触させたときに、身体との接触による熱伝達によってもローラの温度が上昇するまでに時間がかかり、いつまでも違和感を感じてしまうことになる。また厚肉であることによりローラの重量も比較的大きくなっており、ローラを振動させるために振動発生手段で必要とする動力も大きくなる。
【０００４】
本発明は、かかる事情に鑑みてなされたものであり、身体との接触によってローラの温度を速やかに上昇させることを可能とするとともに、振動を発生させるのに要する動力を低減し得るようにしたマッサージ器を提供することを目的とする。
【０００５】
【課題を解決するための手段】
上記目的を達成するために、本発明は、左、右いずれかの手で一端側を握ることを可能とした握持棒と、該握持棒の他端側に回転自在に支承されるローラとを備え、身体の一部に接触させた前記ローラを振動させつつ転動させ得るようにしたマッサージ器において、前記握持棒の他端部には、前記ローラを振動させる振動発生手段を内蔵する円筒状のローラ支持筒が設けられ、該ローラ支持筒を同軸に囲繞する薄肉円筒部を有する前記ローラの軸方向両端部が、前記ローラ支持筒に回転自在に支承され、前記薄肉円筒部およびローラ支持筒間に環状空隙が形成されることを特徴とする。
【０００６】
このような構成によれば、ローラが薄肉円筒部を有するものであることにより、ローラの重量および熱容量を比較的小さく設定することが可能となり、またローラを支持するローラ支持筒およびローラ間に環状空隙が形成されることにより、ローラからローラ支持筒に熱が伝わり難くすることができる。このためローラを身体の一部に接触させたときに、身体からの熱伝達によってローラの温度を速やかに上昇させるようにして違和感を感じることがないようにすることができる。しかもローラが比較的軽量になるので、ローラを振動させるべくローラ支持筒内に収容される振動発生手段で必要とされる動力も小さく抑えることができる。
【０００７】
【発明の実施の形態】
以下、本発明の実施の形態を、添付の図面に示した本発明の一実施例に基づいて説明する。
【０００８】
図１〜図３は本発明の一実施例を示すものであり、図１はマッサージ器の一部を示す縦断側面図、図２は図１の２−２線断面図、図３は電気回路構成を示す図である。
【０００９】
先ず図１および図２において、このマッサージ器は、低周波治療器を兼ねたものであり、一端側を左、右いずれかの手で握るようにした握持棒５と、該握持棒５の他端側に回転自在に支承されるローラ６とを備え、身体の一部たとえば顔などに接触させたローラ６を振動させつつ転動させることでマッサージ効果を得るとともに、ローラ６の接触部に低周波電流を流すことによる治療効果を得ることができる。
【００１０】
握持棒５は、左、右いずれかの手で握ることを可能として導電性金属により円筒状に形成される握持筒部７と、該握持筒部７と同軸に配置されて金属により有底円筒状に形成される支持筒部８と、握持筒部７および支持筒部８を同軸に連結するテーパ筒部９とを有するものであり、テーパ筒部９は、合成樹脂等の非導電材料により支持筒部８側に向かうにつれて小径となるように形成される。したがって握持筒部７および支持筒部８間は電気的に絶縁されることになる。
【００１１】
握持棒５の他端部すなわち支持筒部８の側面には、握持棒５の長手方向と直角に延びるローラ支持筒１０の一端が固着される。このローラ支持筒１０は、真鍮等の導電性金属により一端側を開放するとともに他端側に端壁部１１ａを有して有底の円筒状に形成される支持筒主体１１と、真鍮等の導電性金属により形成されて前記支持筒主体１１の一端開口部に固着される蓋体１２とを備えるものであり、蓋体１２に同軸にかつ一体に設けられた連結筒部１２ａが、その先端部を支持筒部８内に突入させるようにして支持筒部８に直角に固着される。
【００１２】
ローラ支持筒１０内には振動発生手段１３が収納されるものであり、該振動発生手段１３は、電動モータ１４の出力軸１４ａに偏心重錘１５が固着されて成るものであり、電動モータ１４が支持筒主体１１内に嵌合、固定される。
【００１３】
ローラ６は、真鍮等の導電性金属により形成されるローラ主体１８に、一対のリング部材１９，２０が固着されて成るものである。
【００１４】
ローラ主体１８は、一端を開放した円筒状に形成されてローラ支持筒１０を同軸に囲繞する薄肉円筒部１８ａと、該薄肉円筒部１８ａの他端から半径方向内方に張出す内向き鍔部１８ｂと、内向き鍔部１８ｂの内周に外端を連ならせて薄肉円筒部１８ａと同軸にして軸方向内方側にわずかに延びる内筒部１８ｃと、内筒部１８ｃの内端に連設される円板状の端板部１８ｄとを一体に備えて、導電性金属から成る薄板を塑性加工して成るものであり、端板部１８ｄの中央部には支持孔２１が設けられる。
【００１５】
前記ローラ主体１８における薄肉円筒部１８ａの一端にリング部材１９が固着されており、このリング部材１９が、ローラ支持筒１０における支持筒主体１１の一端部外面に摺接することで、ローラ６の一端側がローラ支持筒１０に回転可能に支承される。またリング部材２０は、ローラ主体１８における薄肉円筒部１８ａの他端および内筒部１８ｃ間に挿入されるようにしてローラ主体１８に固着され、このリング部材２０によりローラ主体１８の他端側の剛性が維持されることになる。
【００１６】
ローラ支持筒１０における支持筒主体１１の端壁部１１ａには、ローラ主体１８における端板部１８ｄの内周側内面に摺接するスラスト支持部１１ｂが円板状に隆起して一体に設けられるとともに、ローラ主体１８に設けられた支持孔２１を貫通する支軸１１ｃが前記スラスト支持部１１ｂの中央部から同軸に突出するようにして一体に設けられており、この支軸１１ｃの外面が支持孔２１の内面に摺接することで、ローラ６の他端側がローラ支持筒１０に回転可能に支承される。しかも支軸１１ｃには、ローラ主体１８における端板部１８ｄの内周部をスラスト支持部１１ｂとの間に挟む止め輪２２が装着される。
【００１７】
このようにしてローラ６の軸方向両端部がローラ支持筒１０に回転自在に支承されるが、ローラ６が備える薄肉円筒部１８ａの内面と、ローラ支持筒１０における支持筒主体１１の外面との間には環状空隙２３が形成される。
【００１８】
図３において、握持棒５内には、バッテリ２４が収納されており、このバッテリ２４の一端に連なる導線２５と、前記バッテリ２４の他端にスイッチ２７を介して接続される導線２６とが、ローラ支持筒１０内に収納された電動モータ１４に、握持棒５内から連結筒部１２ａを経て接続される。
【００１９】
また握持棒５外に配置される低周波電源２８の一端に連なる導線２９は、握持棒５のうち導電金属製の握持筒部７に接続され、低周波電源２８の他端には、握持棒５内に収納されるスイッチ３０を介して導線３１が接続されており、この導線３１は、握持棒５内から連結筒部１２ａを経てローラ支持筒１０内に導かれ、ローラ６における端板部１８ｄの内面に摺接するようにして端壁部１１ａの外面側に固定配置される接点板３２に接続される。
【００２０】
前記スイッチ２７，３０は連動してスイッチング作動するものであり、たとえば握持棒５に配設された操作子３３の操作により、両スイッチ２７，３０が同時にスイッチング作動する。而して握持棒５の握持筒部７を左、右いずれかの手で握った状態での前記操作子３３の操作によってスイッチ２７を導通せしめると、振動発生手段１３の電動モータ１４が回転作動する。したがってローラ６に振動を付与しつつ身体の一部に接触させて転動させることができ、マッサージ効果を得ることができる。また前記操作子３３の操作に応じてスイッチ２７とともにスイッチ３０が導通すると、ローラ６の接触部に低周波電流を流すことができ、充分な治療効果を得ることができる。
【００２１】
次にこの実施例の作用について説明すると、左、右いずれかの手で一端側を握ることを可能とした握持棒５の他端部に、ローラ６を振動させる振動発生手段１３を内蔵する円筒状のローラ支持筒１０が設けられており、そのローラ支持筒１０を同軸に囲繞する薄肉円筒部１８ａを有するローラ６の軸方向両端部がローラ支持筒１０に回転自在に支承され、薄肉円筒部１８ａおよびローラ支持筒１０間には環状空隙２３が形成されている。
【００２２】
したがって薄肉円筒部１８ａを有するローラ６の重量および熱容量を比較的小さく設定することが可能となる。またローラ６を支持するローラ支持筒１０およびローラ６間に環状空隙２３が形成されることにより、ローラ６からローラ支持筒１０に熱が伝わり難くすることができる。
【００２３】
この結果、ローラ６を身体の一部に接触させたときに、身体からの熱伝達によってローラ６の温度を速やかに上昇させることが可能であり、ローラ６がいつまでも冷たいままであるときに感じる違和感を、感じることがないようにすることができる。しかもローラ６が比較的軽量になることにより、ローラ６を振動させるべくローラ支持筒１０内に収容される振動発生手段１３で必要とされる動力すなわち電動モータ１４の動力も小さく抑えることができ、電動モータ１４を小型化することができる。
【００２４】
以上、本発明の実施例を説明したが、本発明は上記実施例に限定されるものではなく、特許請求の範囲に記載された本発明を逸脱することなく種々の設計変更を行うことが可能である。
【００２５】
たとえば上記実施例では、低周波治療器を兼ねたマッサージ器を取り上げて説明したが、低周波治療器を兼用しないマッサージ機能のみを有したマッサージ器についても本発明を適用することができる。
【００２６】
【発明の効果】
以上のように本発明によれば、ローラを身体の一部に接触させたときに、身体からの熱伝達によってローラの温度を速やかに上昇させるようにして違和感を感じることがないようにすることができ、振動発生手段で必要とされる動力も小さく抑えることができる。
【図面の簡単な説明】
【図１】マッサージ器の一部を示す縦断側面図である。
【図２】図１の２−２線断面図である。
【図３】電気回路構成を示す図である。
【符号の説明】
５・・・握持棒
６・・・ローラ
１０・・・ローラ支持筒
１３・・・振動発生手段
１８ａ・・・薄肉円筒部
２３・・・環状空隙
【図１】
0004719376.tif 000002
【図２】
0004719376.tif 000003
【図３】
0004719376.tif 000004